(57)【要約】  【課題】  従来、冷蔵庫内の野菜容器は前面扉と共に水平方向へ引き出し自在であり、ペットボトルなどの比較的背の高い物を収納する背高貯蔵物収納部を野菜容器の前側に設け、前面扉と共に野菜容器が前方へ引き出されるとき背高貯蔵物収納部も一緒に引き出される。しかし、野菜容器と背高貯蔵物収納部の物の取り出し収納は共に上方開口の真上から行うこととなり依然として作業がし難い。本発明は、野菜容器の前面と前面扉の内面との間に、ペットボトルの比較的背の高い貯蔵物を収納する補助収納部を設け、この補助収納部とその奥の野菜容器に対する物の取り出しと収納をし易い構成を提供する。  【解決手段】  前面扉と補助物品収納容器は、主物品収納容器と共に動く前後方向引き出し状態と主物品収納容器とは別個に前方へ回動する状態とに作動可能とし、前面扉が閉じたとき、できるだけ補助物品収納容器の荷重を前面扉で受けないこと。【選択図】  図４
2005207683.tif 000002
【特許請求の範囲】
【請求項１】
貯蔵室の前面開口を開閉する前面扉と共に物品収納容器を前記貯蔵室内に引き出し自在に設けた物品貯蔵庫において、前記物品収納容器は引き出し支持装置によって前記貯蔵室の左右側壁に対して前後方向に引き出し収納自在に支持され、前記前面扉は軸支持部を中心として上部が前方へ回動可能に支持され、前記前面扉の裏側には、前記物品収納容器の前方位置で前記前面扉の回動と共に回動する補助物品収納容器を設け、少なくとも前記前面扉が閉じた状態においては、前記補助物品収納容器の荷重は、なるべく前記前面扉に支えられるのではなく前記引き出し支持装置側又は前記貯蔵室の一部分によって支持される構成であることを特徴とする物品貯蔵庫。
【請求項２】
貯蔵室の前面開口を開閉する前面扉と共に物品収納容器を前記貯蔵室内に引き出し自在に設けた物品貯蔵庫において、前記物品収納容器は引き出し支持装置によって前記貯蔵室の左右側壁に対して前後方向に引き出し収納自在に支持され、前記前面扉は軸支持部を中心として上部が前方へ回動可能に支持され、前記前面扉の裏側には、前記物品収納容器の前方位置で前記前面扉の回動と共に回動する補助物品収納容器を設け、前記前面扉が閉じた状態から前記前面扉の前方への回動に伴い、実質的に前記補助物品収納容器の荷重支え状態が、前記引き出し支持装置側又は前記貯蔵室側から前記前面扉側へ移行することを特徴とする物品貯蔵庫。
【請求項３】
貯蔵室の前面開口を開閉する前面扉と共に物品収納容器を前記貯蔵室内に引き出し自在に設けた物品貯蔵庫において、前記物品収納容器は引き出し支持装置によって前記貯蔵室の左右側壁に対して前後方向に引き出し収納自在に支持され、前記前面扉は軸支持部を中心として上部が前方へ回動可能に支持され、前記前面扉と前記物品収納容器が共に前後方向へ引き出される結合状態と前記結合状態が解除されて前記前面扉が回動可能となる解除状態とに切り替えられる連結装置を備え、前記前面扉の裏側には、前記物品収納容器の前方位置で前記前面扉の回動と共に回動する補助物品収納容器を設け、前記前面扉が閉じた状態においては、前記補助物品収納容器は、前記前面扉にその荷重が支えられるのではなく、前記引き出し支持装置側に支持されるか、又は前記貯蔵室の一部分によって支持され、前記前面扉の前方への回動に伴い前記補助物品収納容器の荷重は、前記前面扉による支えに移行することを特徴とする物品貯蔵庫。
【請求項４】
貯蔵室の前面開口を開閉する前面扉と共に物品収納容器を前記貯蔵室内に引き出し自在に設けた物品貯蔵庫において、前記物品収納容器は引き出し支持装置によって前記貯蔵室の左右側壁に対して前後方向に引き出し収納自在に支持され、前記前面扉は軸支持部を中心として上部が前方へ回動可能に支持され、前記前面扉の裏側には前記物品収納容器の前方位置に補助物品収納容器を設け、前記前面扉が閉じた状態では、実質的に前記引き出し支持装置又は前記貯蔵室にて前記補助物品収納容器の荷重が支えられ、前記前面扉の前方への回動に伴い実質的に前記補助物品収納容器の荷重支え状態が前記前面扉側へ移行するように、前記補助物品収納容器を前記前面扉の回動に伴って回動するようにしたことを特徴とする物品貯蔵庫。
【請求項５】
貯蔵室の前面開口を開閉する前面扉と共に物品収納容器を前記貯蔵室内に引き出し自在に設けた物品貯蔵庫において、前記物品収納容器は引き出し支持装置によって前記貯蔵室の左右側壁に対して前後方向に引き出し収納自在に支持され、前記前面扉は軸支持部を中心として上部が前方へ回動可能に支持され、前記前面扉の裏側には、前記物品収納容器の前方位置に補助物品収納容器を設け、前記前面扉の前方への回動に伴い前記前面扉側の係止部が前記補助物品収納容器側の係止部に係合して前記補助物品収納容器が回動するよう構成し、前記前面扉が閉じた状態では、実質的に前記引き出し支持装置又は前記貯蔵室にて前記補助物品収納容器の荷重が支えられ、前記前面扉の前方への回動に伴い実質的に前記補助物品収納容器の荷重支え状態が前記前面扉側へ移行するように、前記前面扉側の係止部と前記補助物品収納容器側の係止部との係合にて前記前面扉の回動に伴って前記補助物品収納容器が回動するようにしたことを特徴とする物品貯蔵庫。
【請求項６】
貯蔵室の前面開口を開閉する前面扉と共に物品収納容器を前記貯蔵室内に引き出し自在に設けた物品貯蔵庫において、前記物品収納容器は引き出し支持装置によって前記貯蔵室の左右側壁に対して前後方向に引き出し収納自在に支持され、前記前面扉は軸支持部を中心として上部が前方へ回動可能に支持され、前記前面扉の裏側には、前記物品収納容器の前方位置に補助物品収納容器を設け、前記前面扉の前方への回動に伴い前記前面扉側の係止部が前記補助物品収納容器側の係止部に係合して前記補助物品収納容器が回動するよう構成し、前記前面扉が閉じた状態での前記補助物品収納容器の荷重支え部が前記補助物品収納容器の後壁に設けたフランジが前記主物品収納容器の前壁に形成したフランジの上への重なりにて構成され、前記前面扉の前方への回動に伴って前記補助物品収納容器の荷重支え部が前記両係止部に移行して前記補助物品収納容器の荷重が実質的に前記前面扉側へ移行することを特徴とする物品貯蔵庫。
【請求項７】
前記連結装置の操作部を前記前面扉の取っ手部分に設けたことを特徴とする請求項３に記載の物品貯蔵庫。
【請求項８】
前記貯蔵室を冷蔵温度室とし、前記補助物品収納容器をペットボトル等の如き飲料容器の収納部としたことを特徴とする請求項１乃至７のいずれかに記載の物品貯蔵庫。
【請求項９】
前記貯蔵室を野菜室とし、前記物品収納容器を上面開口の野菜収納容器とし、前記補助物品収納容器をペットボトル等の如き縦長物品を収納する上面開口の収納部としたことを特徴とする請求項１乃至７のいずれかに記載の物品貯蔵庫。
【発明の詳細な説明】
【技術分野】
【０００１】
本発明は、貯蔵室の前面開口を開閉する前面扉と共に物品収納容器を前記貯蔵室内に引き出し自在に設けた物品貯蔵庫に関する。
【背景技術】
【０００２】
野菜室の前面開口を開閉する前面扉と共に野菜容器を野菜室に引き出し自在に設けた冷蔵庫がある（例えば、特許文献１参照）。この冷蔵庫は、野菜容器の前面と前面扉の内面との間に、ペットボトル、ビール瓶及び牛乳パックなどの比較的背の高い貯蔵物を収納する背高貯蔵物収納部を設けた構成である。この背高貯蔵物収納部は、野菜容器と別体形成でもよく、また一体形成でもよいと記載されている。
【特許文献１】特開２００２‐１５６１８３号公報（第３〜５頁、図１〜１０）
【発明の開示】
【発明が解決しようとする課題】
【０００３】
特許文献１のものは、前面扉と共に野菜容器が前方へ引き出されるとき背高貯蔵物収納部も一緒に引き出されるが、前面扉と共に野菜容器が前方へ引き出されるとき、野菜容器の奥行きが大きい場合は野菜容器全体が冷蔵庫本体の前方へ引き出されず、そのために、野菜室の前面開口周縁部によって野菜容器に対する野菜の収納と取り出し作業は制限される。そして、野菜容器と背高貯蔵物収納部に貯蔵された物の取り出しとそこへの収納は、従来どおり野菜容器と背高貯蔵物収納部の上方開口の真上から行うこととなり、依然としてこの制限は存在する。また背高貯蔵物収納部に貯蔵されたペットボトル、ビール瓶、牛乳パックなど重量が大きなものは、真上に持ち取り出す場合はその全体の重量を持ち上げることになるため、収納と取り出し作業上からして好ましくない。
【０００４】
本発明はこのような点に鑑みて、野菜容器の前面と前面扉の内面との間に、ペットボトル、ビール瓶及び牛乳パックなどの比較的背の高い貯蔵物を収納する収納容器を設けた場合にも、この収納容器とその奥の野菜容器に対する物の取り出しと収納をし易い構成を提供するものである。
【０００５】
また本発明は、野菜容器の前面と前面扉の内面との間に、ペットボトル、ビール瓶及び牛乳パックなどの比較的背の高い貯蔵物を収納する収納容器を前面扉と共に前方へ回動可能に構成して、この収納容器とその奥の野菜容器に対する物の取り出しと収納をし易い構成とした場合、この収納容器内に多くの物品が収納された状態でも前面扉の前方への回動操作が容易に行える構成を提供するものである。
【課題を解決するための手段】
【０００６】
第１の発明の物品貯蔵庫は、貯蔵室の前面開口を開閉する前面扉と共に物品収納容器を前記貯蔵室内に引き出し自在に設けた物品貯蔵庫において、前記物品収納容器は引き出し支持装置によって前記貯蔵室の左右側壁に対して前後方向に引き出し収納自在に支持され、前記前面扉は軸支持部を中心として上部が前方へ回動可能に支持され、前記前面扉の裏側には、前記物品収納容器の前方位置で前記前面扉の回動と共に回動する補助物品収納容器を設け、少なくとも前記前面扉が閉じた状態においては、なるべく前記補助物品収納容器の荷重は、前記前面扉に支えられるのではなく前記引き出し支持装置側又は前記貯蔵室の一部分によって支持される構成であることを特徴とする。
【０００７】
第２の発明の物品貯蔵庫は、貯蔵室の前面開口を開閉する前面扉と共に物品収納容器を前記貯蔵室内に引き出し自在に設けた物品貯蔵庫において、前記物品収納容器は引き出し支持装置によって前記貯蔵室の左右側壁に対して前後方向に引き出し収納自在に支持され、前記前面扉は軸支持部を中心として上部が前方へ回動可能に支持され、前記前面扉の裏側には、前記物品収納容器の前方位置で前記前面扉の回動と共に回動する補助物品収納容器を設け、前記前面扉が閉じた状態から前記前面扉の前方への回動に伴い、実質的に前記補助物品収納容器の荷重支え状態が、前記引き出し支持装置側又は前記貯蔵室側から前記前面扉側へ移行することを特徴とする。
【０００８】
第３の発明の物品貯蔵庫は、貯蔵室の前面開口を開閉する前面扉と共に物品収納容器を前記貯蔵室内に引き出し自在に設けた物品貯蔵庫において、前記物品収納容器は引き出し支持装置によって前記貯蔵室の左右側壁に対して前後方向に引き出し収納自在に支持され、前記前面扉は軸支持部を中心として上部が前方へ回動可能に支持され、前記前面扉と前記物品収納容器が共に前後方向へ引き出される結合状態と前記結合状態が解除されて前記前面扉が回動可能となる解除状態とに切り替えられる連結装置を備え、前記前面扉の裏側には、前記物品収納容器の前方位置で前記前面扉の回動と共に回動する補助物品収納容器を設け、前記前面扉が閉じた状態においては、前記補助物品収納容器は、前記前面扉にその荷重が支えられるのではなく、前記引き出し支持装置側に支持されるか又は前記貯蔵室の一部分によって支持され、前記前面扉の前方への回動に伴い前記補助物品収納容器の荷重は、前記前面扉による支えに移行することを特徴とする。
【０００９】
第４の発明の物品貯蔵庫は、貯蔵室の前面開口を開閉する前面扉と共に物品収納容器を前記貯蔵室内に引き出し自在に設けた物品貯蔵庫において、前記物品収納容器は引き出し支持装置によって前記貯蔵室の左右側壁に対して前後方向に引き出し収納自在に支持され、前記前面扉は軸支持部を中心として上部が前方へ回動可能に支持され、前記前面扉の裏側には前記物品収納容器の前方位置に補助物品収納容器を設け、前記前面扉が閉じた状態では、実質的に前記引き出し支持装置又は前記貯蔵室にて前記補助物品収納容器の荷重が支えられ、前記前面扉の前方への回動に伴い実質的に前記補助物品収納容器の荷重支え状態が前記前面扉側へ移行するように、前記補助物品収納容器を前記前面扉の回動に伴って回動するようにしたことを特徴とする。
【００１０】
第５の発明の物品貯蔵庫は、貯蔵室の前面開口を開閉する前面扉と共に物品収納容器を前記貯蔵室内に引き出し自在に設けた物品貯蔵庫において、前記物品収納容器は引き出し支持装置によって前記貯蔵室の左右側壁に対して前後方向に引き出し収納自在に支持され、前記前面扉は軸支持部を中心として上部が前方へ回動可能に支持され、前記前面扉の裏側には、前記物品収納容器の前方位置に補助物品収納容器を設け、前記前面扉の前方への回動に伴い前記前面扉側の係止部が前記補助物品収納容器側の係止部に係合して前記補助物品収納容器が回動するよう構成し、前記前面扉が閉じた状態では、実質的に前記引き出し支持装置又は前記貯蔵室にて前記補助物品収納容器の荷重が支えられ、前記前面扉の前方への回動に伴い実質的に前記補助物品収納容器の荷重支え状態が前記前面扉側へ移行するように、前記前面扉側の係止部と前記補助物品収納容器側の係止部との係合にて前記前面扉の回動に伴って前記補助物品収納容器が回動するようにしたことを特徴とする。
【００１１】
第６の発明の物品貯蔵庫は、貯蔵室の前面開口を開閉する前面扉と共に物品収納容器を前記貯蔵室内に引き出し自在に設けた物品貯蔵庫において、前記物品収納容器は引き出し支持装置によって前記貯蔵室の左右側壁に対して前後方向に引き出し収納自在に支持され、前記前面扉は軸支持部を中心として上部が前方へ回動可能に支持され、前記前面扉の裏側には、前記物品収納容器の前方位置に補助物品収納容器を設け、前記前面扉の前方への回動に伴い前記前面扉側の係止部が前記補助物品収納容器側の係止部に係合して前記補助物品収納容器が回動するよう構成し、前記前面扉が閉じた状態での前記補助物品収納容器の荷重支え部が前記補助物品収納容器の後壁に設けたフランジが前記主物品収納容器の前壁に形成したフランジの上への重なりにて構成され、前記前面扉の前方への回動に伴って前記補助物品収納容器の荷重支え部が前記両係止部に移行して前記補助物品収納容器の荷重が実質的に前記前面扉側へ移行することを特徴とする。
【００１２】
第７の発明の物品貯蔵庫は、第３の発明において、前記連結装置の操作部を前記前面扉の取っ手部分に設けたことを特徴とする。
【００１３】
第８の発明の物品貯蔵庫は、第１の発明乃至第７の発明において、前記貯蔵室を冷蔵温度室とし、前記補助物品収納容器をペットボトル等の如き飲料容器の収納部としたことを特徴とする。
【００１４】
第９の発明の物品貯蔵庫は、第１の発明乃至第７の発明において、前記貯蔵室を野菜室とし、前記物品収納容器を上面開口の野菜収納容器とし、前記補助物品収納容器をペットボトル等の如き縦長物品を収納する上面開口の収納部としたことを特徴とする。
【発明の効果】
【００１５】
第１の発明は、補助物品収納容器にペットボトル、ビール瓶及び牛乳パックなどの比較的背の高い比較的重い物品を収納する場合にも、前面扉と共に補助物品収納容器を回動させることにより、重いペットボトル等でも斜め状態で取り扱いができるため、この補助物品収納容器に対する物品の取り出しと収納がし易くなり、従来に比して労力が少なく使用性に富む貯蔵庫が提供できる。また、前面扉の回動によって補助物品収納容器も回動して前傾状態となるため、奥側の物品収納容器に対する物品の出し入れがし易くなる。更に、前面扉が閉じた状態では、補助物品収納容器は前面扉にその荷重が重く圧し掛からないため前面扉の開放操作がし易くなる。
【００１６】
第２の発明では、補助物品収納容器にペットボトル、ビール瓶及び牛乳パックなどの比較的背の高い比較的重い物品を収納する場合にも、前面扉と共に補助物品収納容器を回動させることにより、重いペットボトル等でも斜め状態で取り扱いができるため、この補助物品収納容器に対する物品の取り出しと収納がし易くなり、従来に比して労力が少なく使用性に富む貯蔵庫が提供できる。また、前面扉の回動によって補助物品収納容器も回動して前傾状態となるため、奥側の物品収納容器に対する物品の出し入れがし易くなる。更に、前面扉が閉じた状態では、補助物品収納容器は前面扉にその荷重が重く圧し掛からないため前面扉の開放操作がし易く、また、前面扉を開いた状態では補助物品収納容器の荷重が前面扉側に移行するため、開いた状態での補助物品収納容器からの物品の取り出しがし易くなる。
【００１７】
第３の発明では、補助物品収納容器にペットボトル、ビール瓶及び牛乳パックなどの比較的背の高い比較的重い物品を収納する場合にも、前面扉と共に補助物品収納容器を回動させることにより、重いペットボトル等でも斜め状態で取り扱いができるため、この補助物品収納容器に対する物品の取り出しと収納がし易くなり、従来に比して労力が少なく使用性に富む貯蔵庫が提供できる。また、前面扉の回動によって補助物品収納容器も回動して前傾状態となるため、奥側の物品収納容器に対する物品の出し入れがし易くなる。更に、前面扉が閉じた状態では、補助物品収納容器は前面扉にその荷重が重く圧し掛からないため前面扉の開放操作がし易く、また、前面扉を開いた状態では補助物品収納容器の荷重が前面扉側に移行するため、開いた状態での補助物品収納容器からの物品の取り出しがし易くなる。そして、連結装置によって前面扉の開閉を制限できるため、前面扉を回動させない状態での物品収納容器の引き出しと収納操作の安定化と、補助物品収納容器内の物品の取り出し操作とを安定して行うことができる。
【００１８】
第４の発明は、補助物品収納容器にペットボトル、ビール瓶及び牛乳パックなどの比較的背の高い比較的重い物品を収納する場合にも、前面扉と共に補助物品収納容器を回動させることにより、重いペットボトル等でも斜め状態で取り扱いができるため、この補助物品収納容器に対する物品の取り出しと収納がし易くなり、従来に比して労力が少なく使用性に富む貯蔵庫が提供できる。また、前面扉の回動によって補助物品収納容器も回動して前傾状態となるため、奥側の物品収納容器に対する物品の出し入れがし易くなる。更に、前面扉が閉じた状態では実質的に補助物品収納容器の荷重は引き出し支持装置又は貯蔵室にて支えられ、前面扉の前方への回動に伴い補助物品収納容器の荷重支え状態が前面扉側へ移行するように補助物品収納容器を前面扉の回動に伴って回動するようにしたことにより、前面扉が閉じた状態では、補助物品収納容器は前面扉にその荷重が重く圧し掛からないため前面扉の開放操作がし易く、前面扉を開いた状態では補助物品収納容器の荷重が前面扉側に移行するため、開いた状態での補助物品収納容器からの物品の取り出しがし易くなる。
【００１９】
第５の発明は、補助物品収納容器にペットボトル、ビール瓶及び牛乳パックなどの比較的背の高い比較的重い物品を収納する場合にも、前面扉と共に補助物品収納容器を回動させることにより、重いペットボトル等でも斜め状態で取り扱いができるため、この補助物品収納容器に対する物品の取り出しと収納がし易くなり、従来に比して労力が少なく使用性に富む貯蔵庫が提供できる。また、前面扉の回動によって補助物品収納容器も回動して前傾状態となるため、奥側の物品収納容器に対する物品の出し入れがし易くなる。更に、前面扉の前方への回動に伴い実質的に補助物品収納容器の荷重支え状態が前面扉側へ移行するように、前面扉側の係止部と補助物品収納容器側の係止部との係合にて前面扉の回動に伴って補助物品収納容器が回動するようにしたことにより、前面扉側と補助物品収納容器側の係合構成が簡単な構成にて達成でき、補助物品収納容器を前面扉から取り外すことも簡単になる。そして、前面扉が閉じた状態では、補助物品収納容器は前面扉にその荷重が重く圧し掛からないため前面扉の開放操作がし易く、前面扉を開いた状態では補助物品収納容器の荷重が前面扉側に移行するため、開いた状態での補助物品収納容器からの物品の取り出しがし易くなる。
【００２０】
第６の発明は、第５の発明の効果に加えて、両係止部によって補助物品収納容器の荷重が支えられて補助物品収納容器の荷重が実質的に前面扉側へ移行するため、前面扉の回動に伴って補助物品収納容器を回動させる構成と、補助物品収納容器の荷重移動に伴う補助物品収納容器の支え部の構成を共通化できるため、構成の簡素化となる。また、補助物品収納容器と主物品収納容器とに分割し補助物品収納容器を前面扉と共に前方へ傾斜可能に構成した収納形態を採る場合には、補助物品収納容器の前方への回動領域を確保する必要性から両収納容器間に前後方向の隙間が生じるが、本発明によってこの隙間を小さくするか隠すことができる。このため、前記隙間から主物品収納容器内の冷気が流出して主物品収納容器内の野菜が乾燥することも抑制できると共に、主物品収納容器が引き出された状態で前記隙間が見えることによる見栄えの悪さも解決できる。また、前記フランジによって収納容器の強度アップにもなり、収納容器の補強効果と安定収納に寄与する。
【００２１】
第７の発明は、連結装置の解除操作を前面扉の取っ手部によって行えるため、扉の引き出し操作と連結装置の解除操作を片手で行うことができ便利である。
【００２２】
第８の発明は、貯蔵室が冷蔵温度室であることにより、前面扉の回動部分が凍結する心配もなく、常時安定した回動が得られる。そして、物品補助収納容器に収納したペットボトル等の如き飲料容器の冷却に適すると共に、前面扉の回動によって前記のようにその飲料容器の取り出しと収納の容易さが達成できる。
【００２３】
また第９の発明は、野菜の収納と、野菜室の前部をペットボトル等の如き縦長物品の収納部に利用できるため、野菜収納容器の引き出し支持構成を利用して補助物品収納容器の引き出しを行うことができるようになり、野菜収納容器と補助物品収納容器の引き出し構造の共通化が図られる。
【発明を実施するための最良の形態】
【００２４】
本発明は、主物品収納容器が前面扉と共に引き出し支持装置によって貯蔵室の左右側壁に対して前後方向に引き出し収納自在に支持され、前面扉は軸支持部を中心として上部が前方へ回動可能に支持され、前面扉の裏側には、主物品収納容器の前方位置で前面扉の回動と共に回動する補助物品収納容器を設け、少なくとも前面扉が閉じた状態においては、なるべく補助物品収納容器の荷重を前面扉に支えられるのではなく、引き出し支持装置側又は貯蔵室の一部分によって支持するものであり、本発明の実施例を以下に記載する。
【実施例１】
【００２５】
次に本発明の物品貯蔵庫の一つである冷蔵庫について説明する。各図は本発明の一つの実施形態を示しており、図１は本発明の冷蔵庫の縦断側面図、図２は本発明の扉側と物品収納容器側との関係を示す分解斜視図、図３は本発明の扉を閉じた状態を示す側面図、図４は本発明の扉を閉じた状態を示す補助物品収納容器と物品収納部（主物品収納容器）の関係を示す側面図、図５は本発明の開閉扉を裏側から見た斜視図、図６は本発明の扉と補助物品収納容器と物品収納部（主物品収納容器）の関係を示す分解斜視図、図７は補助物品収納容器の斜視図、図８は本発明の扉を閉じた状態から扉を前傾状態に約１５°回動させた状態の側面図、図９は本発明の扉を閉じた状態から扉を前傾状態に約３０°回動させた状態の側面図、図１０は本発明の連結装置の一例の説明図である。
【００２６】
これらの図において、１は物品貯蔵庫であり、以下、物品貯蔵庫１の一つである冷蔵庫（冷凍冷蔵庫とも称される）について本発明の実施形態を説明する。冷蔵庫本体２は、外箱（外壁板）と内箱（内壁板）との間に発泡断熱材を充填した断熱構造である。冷蔵庫本体２内には、上から冷蔵室３、野菜室４、上冷凍室５、下冷凍室６が区画して設けられ、冷蔵室３内の底部にはその上方の冷蔵室３と区画板（区画壁）８にて区画された特定低温室９が設けられている。上冷凍室５は冷気量調節装置を手動操作して冷蔵室とすることもできるので、切り替え室と称することもできる。
【００２７】
冷蔵庫１は前面開口の本体２内を区画して複数の貯蔵室を形成し、これら各貯蔵室の前面は扉で開閉できる構成である。貯蔵室である冷蔵室３の前面開口は、冷蔵庫本体２の一側部に配置したヒンジ装置にて横方向に回動して開閉される回動式の冷蔵室扉１０にて閉塞される。冷蔵室扉１０の内側面には複数段の棚３７を配置している。貯蔵室である野菜室４の前面開口は、野菜室４内に設けた左右のレールとローラを含む引き出し支持装置３８によって前後方向へ引き出し可能に支持した合成樹脂製野菜容器１５と共に前方へ引き出される引き出し式扉１１にて閉塞されている。貯蔵室である上冷凍室５と下冷凍室６は、それぞれ野菜室４と同様に、冷凍室内に設けた左右のレールとローラを含む引き出し支持装置によって、それぞれ前後方向へ引き出し可能に支持した容器１６、１７と共に前方へ引き出される引き出し式扉１２、１３にて閉塞されている。
【００２８】
２４は冷凍システムの冷媒の圧縮機、２５は冷凍システムの冷媒の凝縮器である。２６は凝縮器２５の熱によって後述の除霜水を蒸発させるための蒸発皿であり、凝縮器２５上に載置して冷凍冷蔵庫本体２の前面下部から引き出し自在である。圧縮機２４、凝縮器２５、蒸発皿２６は、冷蔵庫本体２の下部に設けた機械室２８に設置されている。２９、３０は冷凍システムの冷媒の蒸発器（冷却器）である。３１は第１蒸発器（冷却器）２９で冷却した冷気を上冷凍室５及び下冷凍室６へ循環する第１送風機、３２は第２蒸発器（冷却器）３０で冷却した冷気を冷蔵室３、野菜室４及び特定低温室９へ循環する第２送風機である。３３は第１蒸発器（冷却器）２９の除霜用ガラス管ヒータ、３４は、第２蒸発器（冷却器）３０の除霜用ガラス管ヒータである。第１蒸発器（冷却器）２９及び第２蒸発器（冷却器）３０の除霜水は排水管を通って蒸発皿２６へ導かれてそこで蒸発する。
【００２９】
３５は第２蒸発器（冷却器）３０で冷却された冷気が第２送風機３２から導かれる冷気ダクトであり、冷蔵室３の上壁に幅広く配置されその前端は冷蔵室３の前面開口部の上面に形成した冷気吹き出し口３６へ連通している。冷気吹き出し口３６は、冷蔵室３の前面開口部の上面にこの前面開口部の略横幅に渡る長さの冷気吹き出し口カバーが、冷気ダクト３５の前端開口を覆い、この冷気吹き出し口カバーに多数の冷気吹き出し小孔が形成された構成である。この冷気吹き出し口３６から吹き出す冷気は、冷蔵室３の前面開口部を矢印のように上から下へ流れる冷気カーテンを形成する。３９は冷蔵室３の背壁に形成した冷気吹き出し口である。第１蒸発器（冷却器）２９で冷却した冷気と第２蒸発器（冷却器）３０で冷却した冷気は、夫々第１送風機３１及び第２送風機３２によって矢印のように循環して各室を所定温度に冷却する。
【００３０】
このような構成において、各室の温度は、冷蔵室３が約３〜４℃、野菜室４が約４〜６℃に保たれ、上冷凍室８と下冷凍室９が約−１８℃〜−２０℃である。また、冷蔵室扉１０の内側に設けた貯蔵棚３８上は５〜８℃である。特定低温室９は、０℃よりも高い約１℃のチルド室であったり、０℃よりも低く食品の凍結温度よりも高い約０〜−１℃の氷温室であったり、また、食品の表面に薄い氷の層が形成される程度の約−４℃の部分凍結室であったりする。このように特定低温室９は、食品を特定の温度領域内で冷却保存するためのものであり、他の室に比して厳しい温度制御が要求される。
【００３１】
以下、本発明の貯蔵室を上記野菜室４とした実施形態について説明する。上記のように野菜室４の前面開口を開閉する前面扉は引き出し式扉１１に相当する。また、本発明の主物品収納部を構成する主物品収納容器１５は上面開口の野菜容器１５に相当する。前面扉１１の裏側には野菜容器１５の前方位置に上面開口の補助物品収納部を構成する合成樹脂製の補助物品収納容器４０を設けており、主物品収納部の野菜容器１５はこの補助物品収納容器４０の後方に位置する。野菜容器１５は野菜室４内に設けた左右のレールとローラを含む引き出し支持装置３８によって前後方向へ引き出し可能である。
【００３２】
前面扉１１の裏側の補助物品収納部は、前面扉１１の裏板に一体又は別体で形成した所謂ドアポケットとも称する形態でもよいが、物品の出し入れ、洗浄、組み立て、前面扉１１の回動のし易さ等を考慮して、実施形態の補助物品収納部４０は、前後左右に壁を備えた上面開口の容器形態であり、補助物品収納容器４０として示す。補助物品収納容器４０は、前後左右の壁を有して上面開口の容器を構成し、ペットボトル、ビール瓶及び牛乳パック等のように比較的背が高く比較的重い物品４１の複数を立てた状態で収納する形態であり、扉１１の裏側周縁に配置したマグネット入りパッキン４２の内側領域において左右横方向に長く設けられており、後述の構成をなす。
【００３３】
そして、前面扉１１は引き出し支持装置３８によって前後方向へ引き出し可能に支持され、その引き出しに伴って裏側の補助物品収納容器４０と更にその奥の野菜容器１５が引き出される。また、前面扉１１は引き出し支持装置３８に軸支持部である水平軸５４によって回動可能に支持されている。
【００３４】
引き出し支持装置３８について説明する。野菜容器１５は野菜室４内に引き出し支持装置３８によって前後方向へ引き出し可能であり、野菜容器１５は引き出し支持装置３８に取り外し自在に載置した構成である。その引き出し支持装置３８の構成は、野菜室４内の側壁に沿った縦面とこの縦面の上下に水平方向に突出した上側面と下側面によってコ字状形状をなすレール部材４３を設け、左右レール部材４３の前部に前面扉１１が支持される形態であり、このレール部材４３の下側面は野菜室４の左右側壁面の前端寄りに取り付けたローラ４４に載置されている。また、左右レール部材４３の後部にはそれぞれローラ４５が取り付けられ、このローラ４５が野菜室４の左右側壁面に前後方向に水平状態に形成したレール４６に載置されている。
【００３５】
このような構成の引き出し支持装置３８において、野菜容器１５は、その左右側の上部に外側フランジとして形成した載置部８０が、左右レール部材４３に着脱自在に載置された状態であり、野菜室４内で引き出し支持装置３８によって前後水平方向に引き出し収納自在に支持された構成である。７０は野菜容器１５の左右側壁の上部に形成した載置部８０に取り外し自在に載置した小物入れ容器である。
【００３６】
また、引き出し支持装置３８の左右レール部材４３の前後位置は、前後の支持部材４３Ａ、４３Ｂによって左右のレール部材４３相互が連結されて、レール部材４３は実質的に四辺形状の枠状になる。支持部材４３Ａ、４３Ｂは断面円形の支持棒にて構成されており、この支持部材４３Ａ、４３Ｂによって、左右のレール部材４３の相互間隔が確保されて正規の位置を確保できると共に、引き出し支持装置３８が補強されることとなり、安定した引き出し収納動作を得ることができる。そして前後の支持棒４３Ａ、４３Ｂは、野菜容器１５の前部と後部の支持部材としても機能している。
【００３７】
その具体的な構成は、野菜容器１５の前部と後部に形成したフランジ１５Ａ、１５Ｂ内に形成した複数のリブ１５Ｃが、それぞれ前後の支持棒４３Ａ、４３Ｂに載置支持された状態である。これによって、主物品収納容器である野菜容器１５は、左右両側が左右のレール部材４３にて支持され、前部と後部がこの支持棒４３Ａ、４３Ｂによって支持されることとなり、野菜等の重量物を安定して収納できるものとなる。
【００３８】
このように、本発明では、引き出し支持装置３８は、野菜室４（貯蔵室）内の左右側壁に沿って配置されて前面扉１１が回動可能に連結された左右のレール部材４３と、前後位置にてこの左右のレール部材４３を連結する前後の支持棒４３Ａ、４３Ｂとを備えており、野菜容器１５は左右両側が左右のレール部材４３にて載置された状態で支持され、前部と後部が前後の支持棒４３Ａ、４３Ｂによって載置された状態で支持されており、野菜容器１５は引き出し支持装置３８に着脱自在に支持された構成である。
【００３９】
また、野菜容器１５は、その前面壁４８は野菜容器１５の底壁からの高さが低く、野菜容器１５の前面上部には前面開口４７が形成された形態をなす。この形状に合わせるように、補助物品収納容器４０の後壁４９Ａもこの前面壁４８と略同じ程度か若干高い高さに形成され、補助物品収納容器４０の左右側壁５０は後壁４９Ａから前壁４９Ｂに向けて、即ち扉１１の裏面に向けて高く傾斜した形状をなす。補助物品収納容器４０の左右側壁５０は補強として外面に複数のリブ５０Ａを形成している。また野菜容器１５の左右側壁の前端部５１は、補助物品収納容器４０の左右側壁５０の外面に対応するように、左右側壁５０と若干の間隔を保つ近接位置まで延びている。
【００４０】
前面扉１１は引き出し支持装置３８に軸支持部である水平軸５４によって回動可能に支持されている。この軸支持部は以下の構成である。即ち、左右レール部材４３は、その前部に補助物品収納容器４０の左右側壁５０の外側位置において扉１１の裏側近くまで延びた支持板５２を備えている。扉１１の裏側の下部、即ちパッキン４２で囲まれた内側領域の下部には、左右一対の支持部材５３が扉１１内の金属製固定板５５に螺子によって締め付け固定されている。支持板５２と支持部材５３の何れか一方に取り付けた水平軸５４によって、支持板５２と支持部材５３とが相互に回動自在に軸結合された軸支持部を構成している。これによって、前面扉１１は引き出し支持装置３８のレール部材４３に軸支持部によって回動可能に連結支持され、前面扉１１は後述のように、補助物品収納容器４０と共に上部が前方へ傾斜するように回動可能である。軸支持部５４は、他の構成でも差し支えない。
【００４１】
前面扉１１の前方へ傾斜する回動範囲を規制する構成は種々の構成が考えられるが、その一つの構成として、左右の支持板５２の両方又は一方の後端部には内側方向へ略９０°の角度で屈曲した固定側係止部９５を形成し、一方、前面扉１１の裏側には、固定側係止部９５に対向位置となるように、前面扉１１に取り付けた支持部材５３に形成した可動側係止部９７を形成している。これによって、前面扉１１を前方へ傾斜回動することによって、引き出し支持装置３８に形成した固定側係止部９５に前面扉１１側の可動側係止部９７が当接したとき、前面扉１１の前方への回動範囲が規制される。この回動範囲は、補助物品収納容器４０に対する物品の収納、取り出しのし易さを考慮して、例えば、２０°〜６０°の範囲で任意の角度に設定することができる。
【００４２】
７０は野菜容器１５の左右側壁の上端に形成した凹所７１に載置した小物入れ容器である。扉１１の前方への回動に伴って補助物品収納容器４０が回動することにより、野菜容器１５の前面には空間が形成されため、野菜容器１５への物の出し入れがし易くなる。また、野菜容器１５は、上面に開口し、更に前面上部も開口しているため、扉１１の前方への回動に伴って補助物品収納容器４０が回動することにより、野菜容器１５の前面の空間が広くなり、野菜容器１５への物の出し入れがし易くなる。
【００４３】
補助物品収納容器４０は、前壁の上端部に下向きフランジ状の係止部９０が設けられ、前面扉１１の裏板には係止部９０に対応して上向き係止部９１が設けられている。
【００４４】
連結装置６０によって前面扉１１が支持装置３８に回動が阻止された結合状態においては、補助物品収納容器４０は、前面扉１１にその荷重が支えられるのではなく、引き出し支持装置３８側に支持される構成とする。その形態としては、補助物品収納容器４０の荷重は、引き出し支持装置３８に直接または間接的に支持された状態とするか、又は冷蔵庫本体２の一部によって支持される構成とすることができる。そして、補助物品収納容器４０は、前面扉１１の裏側に着脱自在に保持される形態である。そして、前面扉１１の前方への回動に伴い係止部９０と係止部９１との係合によって、前面扉１１を開いた状態での補助物品収納容器４０の荷重は、前面扉１１による支えに移行する形態とする。
【００４５】
具体的な形態の一つとして、補助物品収納容器４０の後壁４９Ａと野菜容器（主物品収納容器）１５の前壁４８にはそれぞれフランジ１５Ｄ、４０Ａが形成されており、前面扉１１が閉じた状態、即ち、連結装置６０によって前面扉１１が支持装置３８に回動が阻止された結合状態では、フランジ４０Ａがフランジ１５Ｄの上側に重なる状態でフランジ４０Ａとフランジ１５Ｄは当接する。なお、ランジ１５Ｄを野菜容器１５の前壁４８のみならず、左右側壁の前端部５１の下部に１５ＤＳのように一連に形成し、またフランジ４０Ａを補助物品収納容器４０の後壁４９Ａのみならず、左右側壁５０のリブ５０Ａの下面部に４０ＡＳのように一連に形成し、前面扉１１が閉じた状態において、フランジ４０Ａがフランジ１５Ｄの上側に乗り、フランジ４０ＡＳがフランジ１５ＤＳの上側に乗る状態とすれば、補助物品収納容器４０の支持も安定する。
【００４６】
前面扉１１が貯蔵室（野菜室）４の前面開口を閉じた状態では、図４に示すように、固定側係止部９５と可動側係止部９７は離れた状態である。軸支持部の水平軸５４を中心として前面扉１１の上部が前方へ回動して固定側係止部９５へ可動側係止部９７が当接したとき、前面扉１１の前方への回動が規制され、前面扉１１は前傾状態となる。固定側係止部９５へ可動側係止部９７が当接した状態において、補助物品収納容器４０に物品が収納されている状態、或いは補助物品収納容器４０に物品が収納されていない状態のいずれにおいても、前面扉１１やその物品の重量によって自然に前面扉１１が垂直状態に復帰する場合と、前傾状態を保持する場合のいずれかになるように、この軸支持部の位置と前面扉１１の回動範囲とを設定することができる。
【００４７】
扉１１は、野菜容器１５及び補助物品収納容器４０と共に引き出し支持装置３８によって前後方向へ引き出し可能であり、且つ補助物品収納容器４０と共に前方へ回動可能である。このため、野菜容器１５側である引き出し支持装置３８側と扉１１側とが着脱自在に連結される連結装置６０が設けられている。この連結装置６０の一つの形態としては、野菜容器１５側、即ち引き出し支持装置３８側にはレール部材４３の前端から突出したフック６１が設けられ、扉１１側には、このフック６１の鉤状部に着脱自在に係止する係止部６２と、この係止部６２がフック６１との係止を解除させるように取っ手６６部位に配置した操作部６３とを設けた構成である。フック６１は、レール部材４３と一体形成でもよく又はレール部材４３に別個のフックを取り付けた構成のいずれでもよい。
【００４８】
係止部６２の一つの形態としては、常時フック６１との係止位置へ向けてバネ６４によって電磁石６５本体から突出した可動部材で構成することができる。そして、取っ手６６の中央部に突出した操作部６３を押し圧操作することにより、扉１１内に設けたスイッチ６７をＯＮさせる構成であり、スイッチ６７のＯＮ状態中は電磁石６５に通電して係止部６２を矢印Ｙ方向へ吸引して引っ込め、それによって係止部６２をフック６１との係止位置から退避させ、扉１１は軸５４を中心にして前方へ回動可能である。スイッチ６７のＯＦＦによって係止部６２はバネ６４によって電磁石６５本体から突出する。扉１１が前方へ回動した状態で係止部６２が突出していても、扉１１を垂直状態に復帰すべく扉１１を後方へ回動させることによって、係止部６２はバネ６４に抗してフック６１に係止することとなる。この係止状態において扉１１を後方へ押し込むことによって、扉１１と共に野菜容器１５及び補助物品収納容器４０は、引き出し支持装置３８によって野菜室４内へ水平状態に収納移動される。
【００４９】
上記のように、連結装置６０によって、前面扉１１が支持装置３８に回動が阻止された結合状態と、この結合状態が解除されて前面扉１１が回動可能となる解除状態とに切り替えられる。
【００５０】
この実施形態のように、物品の収納部を補助物品収納容器４０と野菜容器１５（主物品収納容器）とに分割し、補助物品収納容器４０を前面扉１１と共に前方へ傾斜可能に構成した形態を採る場合には、補助物品収納容器４０の前方への回動領域を確保する必要性から両収納容器１５、４０間に前後方向の隙間が生じるが、本発明では、上記のようなフランジ４０Ａとフランジ１５Ｄの関係によって、連結装置６０による前記結合状態においても、補助物品収納容器４０と野菜容器１５との間の隙間を小さくするか、この隙間を隠すことができる。
【００５１】
このため、前記隙間から野菜容器１５内の冷気が流出して野菜容器１５の野菜が乾燥することも抑制できると共に、野菜容器１５が引き出された状態で前記隙間が見えることによる見栄えの悪さも解決できる。また、フランジ４０Ａとフランジ１５Ｄによって、補助物品収納容器４０と野菜容器１５の強度アップにもなり、これら容器の補強効果と安定収納に寄与する。
【００５２】
前面扉１１が閉じた状態では図４のように、補助物品収納容器４０は引き出し支持装置３８によって支持された状態である。即ち、この状態では、フランジ４０Ａがフランジ１５Ｄの上側に乗り、フランジ４０ＡＳがフランジ１５ＤＳの上側に乗り、前面扉１１側の係止部９１の上端が補助物品収納容器４０側の係止部９０の下方に若干離れて補助物品収納容器４０を略垂直状態に支持される。この状態を安定化するために、前面扉１１側の係止部９１の上端が補助物品収納容器４０の前壁４９Ｂに当接して、補助物品収納容器４０を略垂直状態に支持するようにしてもよい。このような状態から、前面扉１１が前方へ回動されると、これに伴って係止部９１が係止部９０に係止し、補助物品収納容器４０は前面扉１１の前方への回動に伴って引っ張られつつ回動する。
【００５３】
この回動に伴ってフランジ４０Ａと１５Ｄの係合及びフランジ４０ＡＳと１５ＤＳの係合が外れると、補助物品収納容器４０は荷重によって若干下方へ移動し、図８、図９に示すように係止部９１に係止部９０が載置状態となって、補助物品収納容器４０は前面扉１１に支えられるようになる。係止部９０と９１を支点とした支え荷重の係り具合によって補助物品収納容器４０の下部が前面扉１１側に寄り過ぎるのを制限するためには、後述の当接部（押し圧部）１０１に補助物品収納容器４０の下部が当接して寄り過ぎを制限するようにすればよい。このように、前面扉１１が閉じた状態では引き出し支持装置３８側にあった補助物品収納容器４０の荷重支え状態が、前面扉１１を開いた状態では、実質的に前面扉１１側へ移行することとなる。そして、前面扉１１を開いた状態での補助物品収納容器４０の荷重支持は、実質的に係止部９１と係止部９０とによって達成されるため、補助物品収納容器４０の載置状態も安定する。
【００５４】
このように、前面扉１１が閉じた状態では、前面扉１１が閉じた状態から前面扉１１の前方への回動に伴い、補助物品収納容器４０の荷重支え状態が、実質的に、引き出し支持装置３８側又は貯蔵室４側から前面扉１１側へ移行する形態である。いずれの場合も、前面扉１１の前方への回動によって係止部９０と係止部９１との係合になり、前面扉１１を開いた状態での補助物品収納容器４０の支持も安定する。
【００５５】
なお、野菜容器１５の左右側壁の前端部５１を設けない形態では、前面扉１１が閉じた状態での補助物品収納容器４０の荷重の支持は、フランジ４０ＡＳを支持板５２の一部分で支持する形態でもよい。
【００５６】
なお、補助物品収納容器４０の荷重が冷蔵庫本体２の一部によって支持される構成とする場合は、前面扉１１が閉じた状態、即ち、連結装置６０によって前面扉１１が支持装置３８に回動が阻止された結合状態において、フランジ４０Ａがフランジ１５Ｄの若干上方に重なり合うか、又はフランジ４０Ａとフランジ１５Ｄが水平方向で前後に近接する状態でもよい。
【００５７】
また、前面扉１１が閉じた状態を含めて連結装置６０によって前面扉１１が支持装置３８に結合された状態のときは、補助物品収納容器４０の荷重を引き出し支持装置３８の一部分によって支持する構成でもよい。この場合の構成としては、例えば、補助物品収納容器４０の左右側壁５０に外面に突出したフランジを形成し、このフランジが左右レール部材４３の上面の前部分に載置されるように構成し、このフランジが左右レール部材４３に乗った状態ですることもできる。この場合も、フランジ４０Ａがフランジ１５Ｄの若干上方に重なり合うか、又はフランジ４０Ａとフランジ１５Ｄが水平方向で前後に近接する状態でもよい。
【００５８】
前面扉１１の裏側に補助物品収納容器４０を固定した場合や、前面扉１１が閉じた状態において、上記係止部９１にて係止部９０を支えた構成とした従来構成では、前面扉１１の閉じた状態から前面扉１１を開いた状態まで補助物品収納容器４０の荷重を前面扉１１で支えるため、補助物品収納容器４０の荷重（収納された物品荷重も含む）が前面扉１１に掛かったままである。このため、前面扉１１を閉じた状態から開く時点では、その荷重を支えつつ前面扉１１を開くこととなり、開閉する者はかなり重く感じる。特に、前面扉１１の軸支持部の位置によっては、補助物品収納容器４０が若干持ち上げられる状態で回動されることとなって、その重さをより重く感じることがある。
【００５９】
しかし本発明では、上記のように、補助物品収納容器４０は、前面扉１１の裏側に着脱自在に保持され、前面扉１１が閉じた状態、即ち、連結装置６０によって前面扉１１が支持装置３８に回動が阻止された結合状態においては、なるべく補助物品収納容器４０の荷重を前面扉１１で受けないようにしたことを特徴としている。このため、補助物品収納容器４０は、実質的に前面扉１１にその荷重が支えられるのではなく、引き出し支持装置３８側に支持されるか、又は冷蔵庫本体２の一部分である貯蔵室の一部分によって支持され、そして、前面扉１１の前方への回動に伴い係止部９０と係止部９１との係合によって、前面扉１１を開いた状態での補助物品収納容器４０の荷重は、前面扉１１による支えに移行する。このため、前面扉１１を閉じた状態から開く時点では、その荷重は前面扉１１に重く掛からず、ある程度開いた状態からその荷重がかかるようになるため、前面扉１１の開きがスムーズであり、多くの物品を補助物品収納容器４０に収納しても差し支えない。
【００６０】
また上記のように、補助物品収納容器４０のフランジ４０Ａが野菜容器１５のフランジ１５Ｄの上側に重なる状態とすることにより、上記の効果に加えて前面扉１１を回動させるとき、野菜容器１５が邪魔にならないため、補助物品収納容器４０の回動が円滑に行える。そして前述のように、補助物品収納容器４０を前面扉１１に取り外し自在に支持した構成にした場合にも、野菜容器１が邪魔にならずに補助物品収納容器４０を取り付け取り外しができるものとなり、補助物品収納容器４０の前面扉１１への組み立て時や清掃時における取り外しや取り付け作業がし易い構成となる。
【００６１】
また、前面扉１１が主物品収納容器（野菜容器）１５を支持するレール部材４３に対して前記軸支持部を中心として上部が前方へ回動可能に支持される構成は、上記に限定されず他の構成でもよい。また、前面扉１１を前方へ引き出したとき、冷蔵庫本体から落下しないように引き出し支持装置３８と冷蔵庫本体との間にストッパ装置を設ければよい。また、引き出し支持装置３８が結合された前面扉１１と、野菜容器１５と、補助物品収納容器４０は、冷蔵庫本体から前方へ引き出した状態において、それぞれが分離されて冷蔵庫本体２から外せるようになるため、これらの洗浄などが便利である。
【００６２】
上記のように、本発明では、主物品収納容器（野菜容器）１５は引き出し支持装置３８にて貯蔵室４に前後方向に引き出し収納自在に支持され、前面扉１１と補助物品収納容器４０も引き出し支持装置３８にて前後方向に引き出し自在に支持されている。そして、前面扉１１は軸支持部の水平軸５４を中心として上部が前方へ回動可能に支持されるように構成され、前面扉１１が垂直状態において主物品収納容器（野菜容器）１５と共に前後方向へ引き出される結合状態と、この結合状態が解除されて前面扉１１が回動可能となる解除状態とに切り替えられる連結装置６０を備え、前面扉１１の裏側には、主物品収納容器（野菜容器）１５の前方位置で前面扉１１の回動と共に回動する補助物品収納部４０を配置している。
【００６３】
上記のような構成において、補助物品収納容器４０内には、ペットボトル等の物品４１の複数個を立てた状態で一列に収納可能に構成されている。前面扉１１が貯蔵室（野菜室）４の前面開口を閉じた略垂直状態では、連結装置６０によって前面扉１１が支持装置３８に回動が阻止された結合状態である。この結合状態において、前面扉１１の取っ手６６を前方へ引くことにより、前面扉１１は略垂直状態のまま物品収納容器１５と共に水平方向へ引き出される。この引き出された位置で、取っ手６６の中間に突出した操作部６３を操作して連結装置６０による前記結合状態を解除することにより、前面扉１１は、軸支持部を中心として上部が前方へ回動可能となる。前面扉１１は前方へ回動した状態では、補助物品収納容器４０内のペットボトル等の物品４１を前傾した前面扉１１方向に沿って、斜め上方へ取り出すことができる。
【００６４】
このように、連結装置６０の解除によって前面扉１１の回動が可能となるため、補助物品収納容器４０への物品の収納及び取り出しの必要時に連結装置６０を解除操作すれば、前面扉１１の前傾状態においての補助物品収納容器４０への物品の収納及び取り出しが可能となり、取り出しと収納がし易く、従来に比して労力が少なく使用性に富む貯蔵庫が提供できる。また、前面扉１１と補助物品収納容器４０の回動によって、補助物品収納容器４０の奥側の主物品収納容器（野菜容器）１５への物品の収納及び取り出しがし易くなる効果がある。また、連結装置６０の解除操作を前面扉１１の取っ手部６６によって行えるため、扉１１の引き出し操作と連結装置６０の解除操作を片手で行うことができ便利である。
【００６５】
上記のように、連結装置６０の解除によって前面扉１１の回動が可能となるため、前面扉１１が貯蔵室（野菜室）４の前面開口を閉じた状態において、連結装置６０を解除すると前面扉１１は前方へ回動可能となる。連結装置６０を解除して、補助物品収納部４０の物品４１を取り出せるように前面扉１１を前方へ回動し、補助物品収納容器４０の物品４１を斜め前方へ引き上げると、物品４１の重量によって前面扉１１を前方へ押す作用力が働き、前面扉１１が前方へ移動する場合がある。このように物品４１の引き上げ途中に前面扉１１が前方へ移動すると、物品４１の引き上げが不安定となり、物品４１の引き上げを難くすると共に、物品４１を引き上げ途中で落とすことにも繋がり、重い物品４１の場合には危険である。
【００６６】
本発明では、このような支障が生じないように、前面扉１１が野菜室４の前面開口を閉じた状態において、前面扉１１を回動して補助物品収納容器４０からペットボトル等を斜め上方に取り出すとき、その取り出しに伴う前面扉１１の前方への移動が制限されるようにして、ペットボトル等の取り出し操作が安定に行える物品貯蔵庫を提供する。
【００６７】
その構成の一つとして、前面扉１１が貯蔵室（野菜室）４の前面開口を閉じた状態において、連結装置６０が解除されて前面扉１１が前傾状態に回動したとき、前面扉１１の引き出しが制限される係止装置１００を設けている。即ち、前面扉１１が貯蔵室（野菜室）４の前面開口を閉じた状態において、連結装置６０を解除して、補助物品収納容器４０の物品４１を取り出せる位置まで前面扉１１を前方へ回動すると、前面扉１１に設けた支持部材５３に取り付けた係止腕９６の先端係止部９８が貯蔵室（野菜室）４の側壁部に突出状に設けた係止部９９の後側に当接する。この当接によって、前面扉１１は引き出し支持装置３８による前方への引き出しが規制される。この係止腕９６の係止部９８と貯蔵室（野菜室）４側の係止部９９とで係止装置１００を構成する。図９には前面扉１１が約３０°前傾状態に回動したとき係止腕９６の先端係止部９８が貯蔵室（野菜室）４の壁部の係止部９９の後側に当接する状態を示している。
【００６８】
この構成によって、前傾した前面扉１１に沿って補助物品収納容器４０の物品４１を引き上げ、その引き上げに伴って物品４１が前面扉１１を前方へ押しても、その作用力によって前面扉１１が前方へ移動することは阻止される。このため、物品４１の引き上げ操作が安定し、重い物品４１の場合にも落下の危険も少なくなる。
【００６９】
上記の構成では、前面扉１１が貯蔵室（野菜室）４の前面開口を閉じた状態において、連結装置６０を解除して前面扉１１を前方へ回動させたとき、引き出し支持装置３８による前面扉１１の前方への引き出しが係止装置１００によって規制される構成である。しかし、前面扉１１を引き出し支持装置３８によって若干前方へ引き出した状態で、連結装置６０を解除して前面扉１１を前方へ回動させたとき、係止装置１００によって前面扉１１の前方への引き出しが規制される構成とすることもできる。この場合には、係止腕９６の取り付け角度や長さ等を設定して、前面扉１１をある程度前方へ引き出した状態で係止部９８が固定側ローラ４４に係止するように構成すればよい。
【００７０】
例えば図４のように前面扉１１が野菜室４の前面開口を閉じた状態において、前面扉１１を前方へ引き出した後、前面扉１１を前傾状態に回動させ、この前傾状態に回動した状態で前面扉１１を野菜室４の前面開口側へ向けて押し込まれた場合、係止腕９６の係止部９８が係止部９９の前面に当接する。このとき係止腕９６が剛性であれば前面扉１１を閉じることができなくなったり、係止部９８か係止部９９が破損する虞がある。本発明では、係止腕９６を若干弾性変形する合成樹脂製とすることによって、係止腕９６の係止部９８が係止部９９の前面に当接したとき、係止腕９６が弾性変形して係止部９９の下側を潜り抜けて破損を防止できる構成としている。
【００７１】
また、本発明では、補助物品収納容器４０は、その上端部に設けたフランジ状の係止部９０が前面扉１１の裏板に設けた係止部９１に揺動自在に引っ掛けられて、前面扉１１の裏側に着脱自在に保持される構成である。このため、補助物品収納容器４０は前面扉１１
と主物品収納容器（野菜容器）１５から自由に取り外し自在である。
【００７２】
また、補助物品収納容器４０は、前面扉１１が前傾状態に回動することによって、前面扉１１のその前傾角度よりも更に前傾するように構成している。このために、例えば前面扉１１が最大３０°前傾状態に開くように設定されている場合において、図８に示すように、前面扉１１が約１５°前傾状態に開いたときから押し圧部１０１によって補助物品収納容器４０の下部が前方へ移動するのが制限されるように、補助物品収納容器４０の下部が当接する当接部（押し圧部）１０１を左右レール部材４３に設けた支持板５２に屈曲形成している。これによって、前面扉１１が図９に示すように最大３０°の前傾状態に開いたときには、当接部（押し圧部）１０１に補助物品収納容器４０の下部が当接して、前面扉１１の前傾角度よりも若干大きな角度で補助物品収納容器４０が前傾するようになる。
【００７３】
このように、当接部（押し圧部）１０１が補助物品収納容器４０の前壁４９Ｂに当接して補助物品収納容器４０を相対的に後方へ徐々に押すことによって、前面扉１１がある程度開かれた状態から、更に前面扉１１が開かれることによって、補助物品収納容器４０は係止部９０と９１との係合部を支点として下部が後方へ押され、補助物品収納容器４０の前傾角度が、そのときの前面扉１１の前傾角度よりも若干大きくなるので、前面扉１１の前傾角度が比較的小さくても、補助物品収納容器４０に対する物品の取り出しや収納がし易くなる。
【００７４】
このようにして前面扉１１と補助物品収納容器４０の上部が前傾状態に開かれた状態において、前面扉１１の上部を後方へ押し圧することによって前面扉１１と補助物品収納容器４０とを共に垂直状態に復帰させることができるし、また、前面扉１１を前傾状態のままで後方へ押して貯蔵室（野菜室）４の前面開口に達したとき、前面扉１１の上部を後方へ押し圧することによって前面扉１１と補助物品収納容器４０とを共に垂直状態に復帰させることができる。
【００７５】
上記実施形態では、連結装置６０が電気式であるが、これに限定されず機械式とすることもできる。例えば、扉１１の取っ手６６の裏側に突出した操作部であるレバーがバネ力によって復帰位置を保ち、取っ手６６を握った手でこのバネ力に抗してこのレバーをスライドさせることにより、連結部材を介してこれと連結した係止部６２がフック６１との係止位置から退避して扉１１が回動可能となり、レバーをスライドさせる操作から手を離すことにより前記バネ力によってレバーが復帰位置に復帰すると共に係止部６２がフックとの係止位置へ突出するように機械式構成とするものでもよい。
【産業上の利用可能性】
【００７６】
上記実施形態では貯蔵室が野菜室の形態を示しているが、上記実施形態に限定されず、本発明の技術的範囲を逸脱しない限り種種の変更が考えられ、それに係る種種の実施形態を包含するものである。
【図面の簡単な説明】
【００７７】
【図１】本発明の冷蔵庫の縦断側面図である。（実施例１）
【図２】本発明の扉側と物品収納容器側との関係を示す分解斜視図である。（実施例１）
【図３】本発明の扉を閉じた状態を示す側面図である。（実施例１）
【図４】本発明の扉を閉じた状態を示す補助物品収納容器と物品収納部（主物品収納容器）の関係を示す側面図である。（実施例１）
【図５】本発明の開閉扉を裏側から見た斜視図である。（実施例１）
【図６】本発明の扉と補助物品収納容器と物品収納部（主物品収納容器）の関係を示す分解斜視図である。（実施例１）
【図７】本発明の補助物品収納容器の斜視図である。（実施例１）
【図８】本発明の扉を閉じた状態から扉を前傾状態に約１５°回動させた状態の側面図である。（実施例１）
【図９】本発明の扉を閉じた状態から扉を前傾状態に約３０°回動させた状態の側面図である。（実施例１）
【図１０】本発明の連結装置の一例を示す説明図である。（実施例１）
【符号の説明】
【００７８】
１・・・貯蔵庫（冷蔵庫）
２・・・貯蔵庫本体（冷蔵庫本体）
４・・・貯蔵室（野菜室）
１１・・・前面扉
１５・・・物品収納容器（野菜容器）
１５Ｄ・・フランジ
１５ＤＳ・・フランジ
３８・・・引き出し支持装置
４０・・・補助物品収納容器
４０Ａ・・フランジ
４０ＡＳ・・フランジ
４３・・レール
４３Ａ・・支持部材
４３Ｂ・・支持部材
４４、４５・・ローラ
４６・・レール
５２・・支持板
５３・・腕部材
５４・・水平軸
６０・・連結装置
９０・・係止部
９１・・係止部
１０１・・当接部（押し圧部）
【図１】
2005207683.tif 000003
【図２】
2005207683.tif 000004
【図３】
2005207683.tif 000005
【図４】
2005207683.tif 000006
【図５】
2005207683.tif 000007
【図６】
2005207683.tif 000008
【図７】
2005207683.tif 000009
【図８】
2005207683.tif 000010
【図９】
2005207683.tif 000011
【図１０】
2005207683.tif 000012